(57)【要約】【課題】ズーミング時に、フォーカス環がカムピンやカム部材と共に共廻りすることを防止し、しかも、手動フォーカシングを精細化・容易化する共に、自動フォーカシング時におけるモータの負荷トルクを低減すること。【解決手段】回転連動部材１７及び移動部材１５に設けた一対のかさ歯車部（ラック部）１５ａ，１７ａと、カム部材２３に支持軸１８を設けたピニオン１６とによって、フォーカス環２０とカム部材２３との間に、差動減速機構が構成してあることから、トルクの関係では、フォーカス環２０とカム部材２３とのトルク比は、効率損失分を除けば、１：２となっている。また、回転角の関係では、フォーカス時には、フォーカス環２０とカム部材２３との回転角の比は、２：１となっている。【選択図】  図１
2004309726.tif 000002
【特許請求の範囲】
【請求項１】
特定のレンズ群を光軸方向に移動して、手動又は自動フォーカシングを行う一方、複数のレンズ群を光軸方向に移動して、ズーミングを行うレンズ鏡筒において、
ズーミング時に、光軸廻りに回転させるズームリングと、
手動又は自動フォーカシング時に、光軸廻りに回転するフォーカス環と、
手動又は自動フォーカシング時に、当該フォーカス環と共に連動して回転し、その一部にラック部を有する回転連動部材と、
当該回転連動部材のラック部に噛合し、手動又は自動フォーカシング時に、当該回転連動部材のラック部の光軸廻りの回転によって、その支持軸廻りに回転しながら、支持軸を光軸廻りに差動して回転させるピニオンと、
当該ピニオンに噛合するラック部を一部に有し、光軸廻りに回転自在であり、ズーミング時に、前記ズームリングの回転に伴って光軸方向に移動する移動部材と、
前記ピニオンの支持軸を支持し、手動又は自動フォーカシング時に、前記ピニオンの支持軸の光軸廻りの差動回転によって、光軸廻りに回転する一方、ズーミング時に、前記移動部材の光軸方向の移動によって、光軸方向に移動するカム部材と、
手動又は自動フォーカシング時に、前記カム部材の回転と共に、当該カム部材のカム溝に係合しながら光軸方向に移動し、これにより、特定のレンズ群を光軸方向に移動させる一方、ズーミング時に、前記カム部材に対して光軸廻りに回転し、当該カム部材のカム溝に係合により光軸方向に移動し、これにより、特定のレンズ群を光軸方向に移動させるカムピンと、を具備することを特徴とするレンズ鏡筒。
【請求項２】
前記ピニオンは、かさ歯車であり、前記２つのラック部は、当該かさ歯車に噛合するように傾斜したことを特徴とする請求項１に記載のレンズ鏡筒。
【請求項３】
ズーミング時に、前記移動部材の光軸方向の移動によって、間接的に、光軸廻りに回転すると共に光軸方向に移動し、これにより、他の特定のレンズ群を光軸方向に移動させる移動枠を更に具備し、
当該移動枠は、前記カムピンを係合する直進溝を有し、
これにより、手動又は自動フォーカシング時に、前記カムピンは、当該直進溝に案内されて光軸方向に移動する一方、
ズーミング時に、前記移動枠の回転・移動に伴って、当該直進溝も回転・移動して、前記カムピンも回転・移動することを特徴とする請求項１又は２に記載のレンズ鏡筒。
【発明の詳細な説明】
【０００１】
【発明の属する技術分野】
本発明は、低倍率から高倍率まで広い範囲にわたって焦点距離を変化させることができるレンズ鏡筒に関する。
【０００２】
【従来の技術】
例えば、特許文献１に開示してあるように、低倍率から高倍率まで広い範囲にわたって焦点距離を変化させるズームレンズ鏡筒においては、第１レンズ群〜第４レンズ群を光軸方向に移動可能に設けて、ズーミング操作を行うと共に、手動及び自動でフォーカシングできるように構成してある。
【０００３】
このレンズ鏡筒では、特定のレンズ群（例えば、第２レンズ群）を光軸方向に移動させる際、フォーカシング時には、フォーカス環の回転に伴って、カム部材を回転させ、このカム部材に形成したカム溝に沿って、カムピンを光軸方向に移動させて、特定のレンズ群（例えば、第２レンズ群）を光軸方向に移動させている。
【０００４】
一方、ズーミング時には、フォーカス環は、静止してあると共に、所定の機構によって、上記と同一のカム部材を光軸方向に移動させ、このカム部材のカム溝に沿って、上記と同一のカムピンを光軸方向に移動させて、特定のレンズ群（例えば、第２レンズ群）を光軸方向に移動させている。このズーミング時、他のレンズ群（第１、第３及び第４レンズ群）は、夫々の機構によって移動するようになっている。
【０００５】
なお、特許文献２及び３では、超音波モータを内蔵したレンズ鏡筒において、この超音波モータにより自動フォーカシングする時、超音波モータの負荷トルクの軽減等のため、差動減速機構を介して、フォーカス用の特定のレンズ群を光軸方向に移動するように構成してある。
【０００６】
【特許文献１】
特開平８−３３４６６５号公報
【特許文献２】
特開平２−２５３２１４号公報
【特許文献３】
特許第３２８８０９１号公報
【０００７】
【発明が解決しようとする課題】
上記特許文献１に開示したレンズ鏡筒では、フォーカス環の回転角度と、カム部材の回転角度とは、１：１となっている。そのため、カム部材側にそれ程大きくないトルクが掛かった場合でも、他の条件によっては、フォーカス環が共廻りする虞れがある。
【０００８】
また、特定のレンズ群（例えば、第２レンズ群）の移動のため、フォーカシング時には、カム部材を回転させている一方、ズーミング時には、同一のカム部材を光軸方向に移動させている。
【０００９】
このズーミング時、このカム部材は、非回転状態であって光軸方向に移動のみしているが、カムピンは、ズーミング時、他のレンズ群（例えば、例えば第１、第４レンズ群）移動のための移動枠により、光軸廻りに回転するように構成してあり、その結果、カムピンは、ズーミング時には、カム部材のカム溝に沿って、光軸廻りに回転すると共に、光軸方向に移動するようになっている。
【００１０】
しかしながら、広い範囲において焦点距離を変化させるレンズ鏡筒では、テレ状態でズーム比が広がってくる箇所においては、回転角をある程度の範囲に収める必要があることから、カム溝の傾斜角度がきつく形成してあり、カムピンの押し進めがきつくなっている。
【００１１】
従って、ズーミング時、テレ状態では、押し進めのきつくなったカムピンから、非回転状態であって光軸方向に移動のみしているカム部材を回転させる不要なトルクが発生し、この不要なトルクは、ズーミング時に静止しているフォーカス環に作用するといったことがある。
【００１２】
その結果、フォーカス環の回転角度と、カム部材の回転角度とは、１：１となっていることから、この不要なトルクによって、フォーカス環は、カムピンやカム部材と共に、共廻りしてしまうといったことがある。
【００１３】
なお、特許文献２及び３では、超音波モータを内蔵したレンズ鏡筒において、超音波モータの負荷トルクの軽減等のため、差動減速機構が設けてあるが、自動フォーカシング時に、手動のフォーカス操作環が回転しないように、フリクションワッシャ等で負荷トルクを与えたり、又は、手動フォーカス操作環をロックする構成をとっており、その結果、手動操作時の作動トルクが必要以上に重くなるといったことがある。
【００１４】
本発明は、上述したような事情に鑑みてなされたものであって、ズーミング時に、フォーカス環がカムピンやカム部材と共に共廻りすることを防止し、しかも、手動フォーカス操作環における操作回転角を大きくして、手動フォーカシングを精細化・容易化する共に、自動フォーカシング時におけるモータの負荷トルクを低減したレンズ鏡筒を提供することにある。
【００１５】
【課題を解決するための手段】
上記の目的を達成するため、本発明の請求項１に係るレンズ鏡筒は、特定のレンズ群を光軸方向に移動して、手動又は自動フォーカシングを行う一方、複数のレンズ群を光軸方向に移動して、ズーミングを行うレンズ鏡筒において、
ズーミング時に、光軸廻りに回転させるズームリングと、
手動又は自動フォーカシング時に、光軸廻りに回転するフォーカス環と、
手動又は自動フォーカシング時に、当該フォーカス環と共に連動して回転し、その一部にラック部を有する回転連動部材と、
当該回転連動部材のラック部に噛合し、手動又は自動フォーカシング時に、当該回転連動部材のラック部の光軸廻りの回転によって、その支持軸廻りに回転しながら、支持軸を光軸廻りに差動して回転させるピニオンと、
当該ピニオンに噛合するラック部を一部に有し、光軸廻りに回転自在であり、ズーミング時に、前記ズームリングの回転に伴って光軸方向に移動する移動部材と、
前記ピニオンの支持軸を支持し、手動又は自動フォーカシング時に、前記ピニオンの支持軸の光軸廻りの差動回転によって、光軸廻りに回転する一方、ズーミング時に、前記移動部材の光軸方向の移動によって、光軸方向に移動するカム部材と、
手動又は自動フォーカシング時に、前記カム部材の回転と共に、当該カム部材のカム溝に係合しながら光軸方向に移動し、これにより、特定のレンズ群を光軸方向に移動させる一方、ズーミング時に、前記カム部材に対して光軸廻りに回転し、当該カム部材のカム溝に係合により光軸方向に移動し、これにより、特定のレンズ群を光軸方向に移動させるカムピンと、を具備することを特徴とする。
【００１６】
また、請求項２に係るレンズ鏡筒は、前記ピニオンは、かさ歯車であり、前記２つのラック部は、当該かさ歯車に噛合するように傾斜したことを特徴とする。
【００１７】
さらに、請求項３に係るレンズ鏡筒は、ズーミング時に、前記移動部材の光軸方向の移動によって、間接的に、光軸廻りに回転すると共に光軸方向に移動し、これにより、他の特定のレンズ群を光軸方向に移動させる移動枠を更に具備し、
当該移動枠は、前記カムピンを係合する直進溝を有し、
これにより、手動又は自動フォーカシング時に、前記カムピンは、当該直進溝に案内されて光軸方向に移動する一方、
ズーミング時に、前記移動枠の回転・移動に伴って、当該直進溝も回転・移動して、前記カムピンも回転・移動することを特徴とする。
【００１８】
【発明の実施の形態】
以下、本発明の実施の形態に係るレンズ鏡筒を図面を参照しつつ説明する。
【００１９】
図１は、本発明の実施の形態に係るレンズ鏡筒の縦断面図である。図２は、図１に示したフォーカス環、カム部材等の展開図である。図３は、図１に示したレンズ鏡筒の上半分を示す拡大縦断面図である。図４は、図１に示したレンズ鏡筒の下半分を示す拡大縦断面図である。
【００２０】
本実施の形態では、低倍率から高倍率まで広い範囲にわたって焦点距離を変化させるズームレンズ鏡筒において、外部固定筒１０、マウント部１２、ズームリング１３、内部固定筒１４、内部固定カム部材２４、第１〜第４レンズ群Ｌ１、Ｌ２、Ｌ３、Ｌ４、それぞれの第１〜第４レンズ移動枠２２、２６、２７、２８、フォーカス環２０、手動フォーカス操作部材２１、フォーカスカムとズームカムを兼用するカムを設けたカム部材２３、カムリング２５、３０、回転連動部材１７等から主に構成されている。
【００２１】
固定部１０、内部固定部１４、内部固定カム部材２４は、各レンズ群を駆動するためのカム部材その他の機構要素を支持する枠体であり、本レンズ鏡筒をカメラボディに取り付けるためのマウント部１１，１２を備えている。
【００２２】
光学系は、４つの第１〜第４レンズ群Ｌ１、Ｌ２、Ｌ３、Ｌ４からなり、第２レンズ群Ｌ２は、フォーカス動作とズーム操作の両方にかかわり、その他は、ズームミング操作で光軸方向に移動する構成である。
【００２３】
第１レンズ移動枠２２は、第１レンズ群Ｌ１を光軸方向に位置決めするための枠体である。第１レンズ移動枠２２は、先端部内周面において、第１レンズ群Ｌ１を支持しており、内周面には、カム溝２２ａを備えており、後部外周には、中間筒２９の直進溝２９ａに嵌合するピン９０を備えている。中間筒２９は、光軸方向に直進移動する移動部材１５に固定（不図示）される構造になっている。
【００２４】
カム溝２２ａには、移動枠３０の外周面に設けたピン固定軸４１に固定されるカムフォロア４２を嵌合させており、移動枠３０が光軸方向に回転・移動すると、第１レンズ移動枠２２が光軸方向に直進移動する。
【００２５】
第２レンズ移動枠２６は、第２レンズ群Ｌ２を光軸方向に位置決めするための枠体である。第２レンズ移動枠２６は、その内周面に第２レンズ群Ｌ２を支持しており、外周面にカムピン５０を設けている。
【００２６】
このカムピン５０は、移動枠３０の直進溝３０ｂ、カム部材２３のカム溝２３ａに嵌合している。従って、カム部材２３ａがフォーカス動作で回転運動すると、第２レンズ移動枠２６は、カム溝２３ａ、カムピン５０、直進溝３０ｂによって光軸方向に移動される。
【００２７】
第３レンズ群移動枠２７は、第３レンズ群Ｌ３を光軸方向に位置決めするための枠体である。第３レンズ移動枠２７は、その内周面に第３レンズ群Ｌ３を支持しており、外周面にカムピン５６を設けている。
【００２８】
このカムピン５６には、さらに固定ビス５８によって上部に直進キー５７が固定してあり、この直進キー５７は、内部固定カム部材２４の直進溝２４ｂに嵌合している。
【００２９】
カムピン５６は、移動枠３０の周溝３０ｃ、移動枠３０の外周に嵌合する移動カムリング３１のカム溝３１ａに嵌合しているので、第３レンズ移動枠２７は、移動枠３０の光軸方向移動に連動して直進移動する。
【００３０】
第４レンズ移動枠２８は、第４レンズ群Ｌ４を光軸方向に位置決めするための枠体である。第４レンズ移動枠２８は、その内周面に第４レンズ群Ｌ４を支持しており、外周面にカムピン５５を設けている。
【００３１】
このカムピン５５は、前記第３レンズ移動枠２７の直進溝２７ａ、移動枠３０のカム溝３０ａに嵌合している。従って、第４移動枠２８は、カム溝３０ａ及びカムピン５５、直進溝２７ａを介して、移動枠３０から光軸方向の駆動力を受けるようになっている。
【００３２】
また、フォーカス駆動で第２レンズ群Ｌ２を光軸方向に移動させるカム部材２３は、第１レンズ移動枠２２の内周側の設置してある円筒部材であり、その後端部につば部を有し、移動枠１５に回転自在に係合している。
【００３３】
カム部材２３には、第２レンズ群Ｌ２のフォーカス動作とズーミング動作の両方を兼用するカム溝２３ａが設けられ、このカム溝２３ａは、図２の展開図に示されている。
【００３４】
このカム溝２３ａに係合するカムピン５０は、テレ側無限遠の位置Ｔ∞からワイド側無限遠の位置Ｗ∞までの角度をズーム操作で移動し、フォーカス動作の際は、テレ側の無限遠の位置から至近距離までの回転角度θだけ回転する。この回転角度θは、どこの焦点距離位置でも同一角度になるようにカム溝２３ａが構成されるが、公知技術なので、ここでは詳細を省略する。
【００３５】
このカムピン５０は、移動枠３０の直進溝３０ｂ、カム部材２３のカム溝２３ａに嵌合している。従って、カム部材２３ａがフォーカス動作で回転運動すると、第２レンズ移動枠２６は、カム溝２３ａ、カムピン５０、直進溝３０ｂによって光軸方向に直進移動される。
【００３６】
一方、ズーム操作時は、後術するように、ズーム操作に連動して光軸方向に移動する移動部材１５と一緒に光軸方向に移動するカム部材２３によって、カムピン５０は、カム溝２３ａに係合しながら、光軸方向に移動する。但し、ズーミング時には、カムピン５０が係合する直進溝３０ｂを有する移動枠３０は、後述するように、カムリング３１によって回転・移動されることから、カムピン５０は、ズーミング時には、光軸廻りに回転しながら光軸方向に移動する。
【００３７】
手動合焦操作を行う手動フォーカス操作部材２１、これにビス５４で一体に固定されるフォーカス環２０は、前記第１レンズ移動枠２２とズームリング１３の間に設けられている。フォーカス環２０の後端部内径側には、ボディからの駆動力を伝達する歯車部材であるセグメントギヤ２０ｂ（図２）を有し、内部固定筒１４に回転自在に係合するつば部を内径側に設けている。
【００３８】
また、フォーカス環２０の別の内径側には、フォーカス環２０の内径に嵌合するフォーカスの回転連動部材１７が設けられている。フォーカス環２０の内径には、回転連動部材１７の外径側に設けたピン５２に係合する直進溝２０ａが設けてある。このフォーカス環２０の内径の周溝１７ｂには、中間筒２９の外径部に設けたピン５１が係合している。
【００３９】
回転連動部材１７の外径側には、複数箇所（本実施の形態では、２箇所）に光軸と直交する軸線に対して回転可能なかさ歯車ピニオン１６が設けてある。このかさ歯車のピニオン１６の支持軸１８は、固定板１９に設けられており、この固定板１９は、ビス５９でカム部材２３に固定されている。
【００４０】
一方、移動部材１５には、かさ歯車ピニオン１６に噛み合うように、かさ歯車部（ラック部）１５ａが光軸廻りに設けられ、回転連動部材１７にも、かさ歯車部（ラック部）１５ａと向き合うように、かさ歯車部（ラック部）１７ａを光軸廻りに設けている。
【００４１】
これらかさ歯車ピニオン１６、及びかさ歯車部（ラック部）１７は、フォーカシング時、フォーカス環２０が回転すると、カム部材２３を差動減速して回転する差動減速機構を構成している。
【００４２】
セグメントギヤ２０ｂ（図２）は、自動合焦を行うための駆動力を不図示のカメラボディから伝達される歯車部材であり、駆動ギヤ７０、７１と噛み合っている。駆動ギヤ７１の後端部でボディ側の駆動軸（不図示）と連動している。
【００４３】
固定筒１０の前側に、ズームリング１３が設けられ、固定筒１０内径側のつば部と回転自在に係合するようように配置されている。ズームリング１３の内径側には、カム溝１３ａが設けられ、移動部材１５の外径に設けた連動ピン４３が、このカム溝１３ａに係合している。
【００４４】
移動部材１５の内径側には、駆動ピン４７が設けられている。このピン４７は、内部固定カム部材２４の外径に回転自在に嵌合するカムリング２５のカム溝２５ａと、内部固定カム部材２４に設けた直進溝２４ｂとに係合している。
【００４５】
また、カムリング２５に設けた周溝２５ｃには、内部固定カム部材２４に設けたピン９５が係合している。
【００４６】
また、移動枠３０の外周に嵌合する移動カムリング３１の外径に設けた固定軸４５には、カム部材２４のカム２４ａに係合するフォロア４４が設けてある。また、固定軸４５は、カムリング２５の直進溝２５ｂに係合している。
【００４７】
次に、本実施例の動作について説明する。本実施の形態において、自動でフォーカシングする場合は、カメラボディから図示を省略した公知の動力伝達機構を介して、図２のセグメントギアリング２０ｂに回転方向の駆動力が伝達され、フォーカス環２０が回転される。
【００４８】
次に、その駆動力は、フォーカス環２０の内径の直進溝２０ａ、ピン５２、回転連動部材１７、かさ歯車部（ラック部）１７ａ、かさ歯車ピニオン１６、支持軸１８、固定板１９、カム部材２３に伝達されて、カム部材２３が回転される。カム部材２３が回転すると、前述した構成によって、カムピン５０がカム溝２３ａ、移動枠３０の直進溝３０ｂによって、光軸方向に移動する。その結果。第２レンズ移動枠２６が光軸方向に移動される。
【００４９】
一方、手動操作でフォーカシングを行う場合には、手動フォーカス操作部材２１を手動で回転操作すると、自動フォーカシングと同様に、フォーカス環２０が回転し、同様の伝達経路で、第２レンズ移動枠２６が光軸方向に移動される。
【００５０】
次に、ズーミングを行う場合の動作を説明する。ズーミングを行うために、手動でズームリング１３を回転すると、その回転運動をズームリング１３の内径のカム溝１３ａに係合するピン４３が光軸方向に駆動される。ピン４３が駆動されると、ピン４３と一体の移動部材１５が光軸方向に移動する。
【００５１】
移動部材１５が光軸方向に移動すると、これに設けてあるピン４７が係合する内部固定カム部材２４の直進溝２４ｂと、カムリング２５のカム溝２５ａ、内部固定カム部材２４に固定されたピン９５と、ピン９５が係合する周溝２５ｃとによって、カムリング２５が光軸まわりに回転する。
【００５２】
カムリング２５の回転力は、カムリング２５に設けた直進溝２５ｂに係合する固定軸４５と、固定カム２４のカム溝２４ａに係合するフォロア４４とによって移動するカムリング３１に伝達され、カムリング３１は、光軸方向に回転・移動する。その結果、第３レンズ移動枠２７が光軸方向に移動する。
【００５３】
第３レンズ移動枠２７が光軸方向に移動すると、カムピン５６は、移動枠３０の周溝３０ｃに嵌合しているので、移動枠３０は、カムリング３１の直進溝３１ａに係合するピン６０の駆動力により、光軸方向に回転・移動する。
【００５４】
第４レンズ群移動枠２８は、その外周面にカムピン５７を設けている。このカムピン５７は、前記第３レンズ移動枠２７の直進溝２７ａ、移動枠３０のカム溝３０ａに嵌合している。
【００５５】
従って、第４レンズ移動枠２８は、カム溝３０ａ及びカムピン５７、直進溝２７ａを介して、移動枠３０から光軸方向の駆動力を受けるので、移動枠３０が光軸方向に回転・移動すると、光軸方向に直進移動する。
【００５６】
一方、ズーミング操作で、上記のように、移動部材１５が光軸方向に移動すると、回転連動しているカム部材２３は、光軸方向に移動する。このため、前述した第２レンズ移動枠２６の外周面に、カムピン５０を設け、このカムピン５０は、移動枠３０の直進溝３０ｂ、カム部材２３のカム溝２３ａに嵌合している。
【００５７】
従って、カム部材２３ａが光軸方向に移動すると、第２レンズ移動枠２６は、カム溝２３ａ、カムピン５０、直進溝３０ｂによって光軸方向に移動される。但し、ズーミング時には、カムピン５０が係合する直進溝３０ｂを有する移動枠３０は、上述したように、カムリング３１によって回転・移動されることから、カムピン５０は、ズーミング時には、光軸廻りに回転しながら光軸方向に移動する。
【００５８】
また、第１レンズ移動枠２２は、先端部内周面において、第１レンズ群Ｌ１を支持し、内周面には、カム溝２２ａを備え、後部外周には、中間筒２９の直進溝２９ａに嵌合するピン９０をそれぞれ備えている。中間筒２９は、光軸方向に直進移動する移動部材１５に固定（不図示）される構造になっている。カム溝２２ａには、移動枠３０の外周面に設けたピン固定軸４１に固定されるカムフォロア４２を嵌合させている。
【００５９】
従って、移動枠３０が光軸方向に回転・移動すると、第１レンズ移動枠２２は、光軸方向に直進移動し、第１レンズ群Ｌ１が光軸方向に移動する。
【００６０】
以上、本実施の形態によれば、回転連動部材１７及び移動部材１５に設けた一対のかさ歯車部（ラック部）１５ａ，１７ａと、カム部材２３に支持軸１８を設けたピニオン１６とによって、フォーカス環２０とカム部材２３との間に、差動減速機構が構成してあることから、トルクの関係では、フォーカス環２０とカム部材２３とのトルク比は、効率損失分を除けば、１：２となっている。そのため、カム部材２３側から、フォーカス環２０を回転させようとすると、著しく大きいトルクが必要になる。
【００６１】
従って、ズーミング時、テレ状態において、カム溝２３ａで押し進めのきつくなったカムピン５０から、カム部材２３を回転させる不要なトルクが発生し、この不要なトルクがズーミング時に静止しているフォーカス環２０に作用した場合であっても、フォーカス環２０とカム部材２３との間に、差動減速機構が設けてあることから、このようなテレ状態で発生した不要なトルクにより、フォーカス環２０がカムピン５０やカム部材２３と共に共廻りすることを確実に防止することができる。
【００６２】
また、フォーカス環２０とカム部材２３との間に、差動減速機構が設けてあることから、回転角の関係では、フォーカス時には、フォーカス環２０とカム部材２３との回転角の比は、２：１となっている。従って、手動フォーカス操作環２１における操作回転角を大きくとることができ、手動フォーカシングを精細化・容易化することができる。
【００６３】
さらに、フォーカス環２０とカム部材２３との間に、差動減速機構が設けてあることから、トルクの関係では、フォーカス環２０とカム部材２３とのトルク比は、フォーカス時には、効率損失分を除けば、１：２となっている。従って、自動フォーカシング時におけるモータ（図示略）の負荷トルクを低減することができる。
【００６４】
また、本実施の形態によれば、差動減速機構のピニオン１６は、かさ歯車であることから、この噛合歯面は、光軸方向に斜めになっており、噛合時には、光軸方向に垂直な方向の内方（即ち、径方向内方）に向けて、分力が発生する。その結果、この分力により、ピニオン１６とラック部１５ａ，１７ａの両歯面が相互に密着して堅固に噛合して、両歯面の滑りを確実に防止することができる。従って、上記のようなテレ状態で不要なトルクが急激に発生したとしても、フォーカス環２０に不要なトルクが伝わることが殆どなく、例えば平歯車に比べて、フォーカス環２０の共廻りをより一層確実に防止することができる。また、かさ歯車にすることで、かさ歯車の取り付け高さを調整することで歯当たりを良好にすることができ、また、歯車部のバックラッシュ量を増減することができ、作動部分のがた量を最適にすることができる。
【００６５】
なお、本発明は、上述した実施の形態に限定されず、種々変形可能である。
【００６６】
【発明の効果】
以上説明したように、本発明によれば、回転連動部材及び移動部材に設けた一対のラック部と、カム部材に支持軸を設けたピニオンとによって、フォーカス環とカム部材との間に、差動減速機構が構成してあることから、トルクの関係では、フォーカス環とカム部材とのトルク比は、効率損失分を除けば、１：２となっている。そのため、カム部材側から、フォーカス環を回転させようとすると、著しく大きいトルクが必要になる。
【００６７】
従って、ズーミング時、テレ状態で押し進めのきつくなったカムピンから、カム部材を回転させる不要なトルクが発生し、この不要なトルクがズーミング時に静止しているフォーカス環に作用した場合であっても、フォーカス環とカム部材との間に、差動減速機構が設けてあることから、このようなテレ状態で発生した不要なトルクにより、フォーカス環がカムピンやカム部材と共に共廻りすることを確実に防止することができる。
【００６８】
また、フォーカス環とカム部材との間に、差動減速機構が設けてあることから、回転角の関係では、フォーカス時には、フォーカス環とカム部材との回転角の比は、２：１となっている。従って、手動フォーカス操作環における操作回転角を大きくとることができ、手動フォーカシングを精細化・容易化することができる。
【００６９】
さらに、フォーカス環とカム部材との間に、差動減速機構が設けてあることから、トルクの関係では、フォーカス環とカム部材とのトルク比は、フォーカス時には、効率損失分を除けば、１：２となっている。従って、自動フォーカシング時におけるモータの負荷トルクを低減することができる。
【００７０】
また、本発明によれば、差動減速機構のピニオンは、かさ歯車であることから、この噛合歯面は、光軸方向に斜めになっており、噛合時には、光軸方向に垂直な方向の内方（即ち、径方向内方）に向けて、分力が発生する。その結果、この分力により、ピニオンとラック部の両歯面が相互に密着して堅固に噛合して、両歯面の滑りを確実に防止することができる。従って、上記のようなテレ状態で不要なトルクが急激に発生したとしても、フォーカス環に不要なトルクが伝わることが殆どなく、例えば平歯車に比べて、フォーカス環の共廻りをより一層確実に防止することができる。また、かさ歯車にすることで、かさ歯車の取り付け高さを調整することで歯当たりを良好にすることができ、また、歯車部のバックラッシュ量を増減することができ、作動部分のがた量を最適にすることができる。
【図面の簡単な説明】
【図１】本発明の実施の形態に係るレンズ鏡筒の縦断面図である。
【図２】図１に示したフォーカス環、カム部材等の展開図である。
【図３】図１に示したレンズ鏡筒の上半分を示す拡大縦断面図である。
【図４】図１に示したレンズ鏡筒の下半分を示す拡大縦断面図である。
【符号の説明】
１０  外部固定筒
１２  マウント部
１３  ズームリング
１４  内部固定筒
１５  移動部材
１６  かさ歯車ピニオン
１７  回転連動部材
２０  フォーカス環
２１  手動フォーカス操作部材
２２  第１レンズ移動枠
２３  カム部材
２４  内部固定カム部材
２６  第２レンズ移動枠
２７  第３レンズ移動枠
２８  第４レンズ移動枠
３０  移動枠
３１  カムリング
Ｌ１  第１レンズ群
Ｌ２  第２レンズ群
Ｌ３  第３レンズ群
Ｌ４  第４レンズ群
【図１】
2004309726.tif 000003
【図２】
2004309726.tif 000004
【図３】
2004309726.tif 000005
【図４】
2004309726.tif 000006